(57)【要約】      （修正有）【課題】パチンコ台やゲーム機の椅子に長時間着座しても、着座時の疲れを軽減することができる椅子カバーを提供する。【解決手段】背面カバーシート１と前面カバーシート２からなり、下部に開口する袋状で、背面カバーシートの表面が遊技場の通路側に臨むように椅子１０の背もたれ部６を覆うカバー本体と、着座者の腰部分に対応するように前面カバーシートのさらに前面側に設けられ、前面カバーシートとの間に上部開口のポケットを形成する外側シートと、ポケットに出し入れ可能に収納されるクッション性を有する副材と、を備える。【選択図】図４
0003158255.tif 000002
【実用新案登録請求の範囲】
【請求項１】
背面カバーシートと前面カバーシートからなり、下部に開口する袋状で、前記背面カバーシートの表面が遊技場の通路側に臨むように椅子の背もたれ部を覆うカバー本体と、
着座者の腰部分に対応するように前記前面カバーシートのさらに前面側に設けられ、前記前面カバーシートとの間に上部開口のポケットを形成する外側シートと、
前記ポケットに出し入れ可能に収納されるクッション性を有する副材と、を備えることを特徴とする椅子カバー。
【請求項２】
前記副材は、膝掛けシート、クッションのいずれかまたは双方であることを特徴とする請求項１に記載の椅子カバー。
【請求項３】
前記背面カバーシートの下部から吊り下がるスカート部が一体に形成されて、背もたれ部の下部を覆い隠すことを特徴とする請求項１に記載の椅子カバー。
【請求項４】
前記背面カバーシートの表面に意匠が印刷されていることを特徴とする請求項１に記載の椅子カバー。
【考案の詳細な説明】
【技術分野】
【０００１】
本考案は、椅子カバーに係り、より詳細には、パチンコ台やゲーム機の椅子に取り付ける椅子カバーであって、長時間着座しても着座時の疲れを軽減することができる椅子カバーに関する。
【背景技術】
【０００２】
パチンコ台の椅子には、背もたれ部にカバーが掛けられ、カバー表面にイベント内容や新規導入台の宣伝などの絵柄が描かれて店内雰囲気を盛り上げることがなされている。しかし、パチンコ店では長時間同じ姿勢でゲームを楽しむことが多いため、着座中に背中に疲労や痛みを感じることが多い。また、冬季や夏の冷房により長期間座っていると足元が冷えて体調を壊すことにもなる。
【０００３】
特許文献１には、椅子カバーの周縁部にＬＥＤを取り付けることにより興趣性を付与しているが、背もたれが硬質の場合、着座者の背中が痛くなることを防ぎ、疲労を軽減する手段は備えていない。特許文献２には、椅子カバーのずれ落ちを防止するバンドが設けられるが、特許文献１と同様に、背中の痛みや疲労を軽減させる手段は備えていない。
【先行技術文献】
【特許文献】
【０００４】
【特許文献１】特開２００８−２１２３９４号公報
【特許文献２】特開２００５−６６１５１号公報
【考案の概要】
【考案が解決しようとする課題】
【０００５】
本考案の目的は、パチンコ台やゲーム機の椅子に長時間着座しても、着座時の疲れを軽減することができる椅子カバーを提供することにある。
【課題を解決するための手段】
【０００６】
本考案による椅子カバーは、  背面カバーシートと前面カバーシートからなり、下部に開口する袋状で、前記背面カバーシートの表面が遊技場の通路側に臨むように椅子の背もたれ部を覆うカバー本体と、着座者の腰部分に対応するように前記前面カバーシートのさらに前面側に設けられ、前記前面カバーシートとの間に上部開口のポケットを形成する外側シートと、前記ポケットに出し入れ可能に収納されるクッション性を有する副材と、を備えることを特徴とする。
【０００７】
前記副材は、前記副材は、膝掛けシート、クッションのいずれかまたは双方であることを特徴とする。
【０００８】
前記背面カバーシートの下部から吊り下がるスカート部が一体に形成されて、背もたれ部の下部を覆い隠すことを特徴とする。
【０００９】
前記背面カバーシートの表面に意匠が印刷されていることを特徴とする。
【考案の効果】
【００１０】
本考案による椅子カバーによれば、着座者の腰部分のポケットに副材を収納することにより、腰部分に良好なクッション性が付与される。このため長時間着座しても痛みや疲労を軽減することができる。また、副材がポケットに出し入れ自由となっているため、カバー本体を交換する際に、副材だけを再利用することができ、経済的である。さらに、副材がポケットの上部開口部から出し入れされるため、副材の出し入れ操作が容易であり、しかも収納された副材が不容易に下方に落下することがなくなる。
【００１１】
副材を膝掛けシートとすることにより、ゲームの遊戯中に膝掛けを使用できるため、脚の冷えを抑制できる。また、副材を膝掛けシート、クッションのいずれかとした場合においても、腰部分にクッション性を付与でき、着座時の疲労を軽減できる。
【００１２】
背面カバーシート下部のスカート部は、印刷する領域を大きくできる。また、着座を含む背もたれ部の下部を覆い隠して美感を向上できる。
【００１３】
背面カバーシートの表面の意匠により、パチンコ台やゲーム機の識別や、その宣伝を行なうことができる。
【図面の簡単な説明】
【００１４】
【図１】本考案による椅子カバーの概略図である。
【図２】本考案による副材がクッションの場合の概略図である。
【図３】本考案による椅子カバー（副材がクッション）の取付図である。
【図４】本考案による椅子カバー（図３）の断面図である。
【図５】本考案による椅子カバー（図３）を椅子に取り付けた状態図である。
【図６】本考案による副材が膝掛けシートの場合の概略図である。
【図７】本考案による椅子カバー（副材が膝掛けシート）の取付図である。
【図８】本考案による椅子カバー（図７）の断面図である。
【図９】本考案による椅子カバー（図７）を椅子に取り付けた状態図である。
【考案を実施するための形態】
【００１５】
図１〜図５に本考案の実施形態を示す。本考案による椅子カバー５０は、背面カバーシート１と前面カバーシート２からなるカバー本体７と、前面カバーシート２のさらに前側に設けられる外側シート５と、図２に示すクッション性の副材４と、で構成される。図１（Ａ）は、カバー本体７の正面図であり、図１（Ｂ）はカバー本体７の背面図である。
【００１６】
カバー本体７は、前面カバーシート２と背面カバーシート１とが面合わせされ、これらの周囲を縫い合わせることにより袋状に形成されている。背面カバーシート１は、布シート、樹脂シートによって形成されており、その表面には、意匠２０が印刷されている。意匠２０はパチンコ台やゲーム機に関連した図柄や文字などのデザイン、遊技場のイベントに関連した図柄や文字などのデザインに合わせて印刷される。前面カバーシート２は背面カバーシート１と同様な布シート、樹脂シートによって形成される。
【００１７】
カバー本体７は、店内の椅子の背もたれ部を覆うように被せられるものであり、背もたれ部を覆った状態では、意匠２０が施された背面カバーシート１の表面が、遊技場の通路側に臨むようになっている。従って、客は通路に立つ際、あるいは通路を通過する際に、意匠２０を簡単に視認できるため、そのパチンコ台またはゲーム機の識別ができ、あるいはイベント内容を知ることができる。
【００１８】
袋状となっているカバー本体７には、図４に示すように、椅子１０の背もたれ部６が挿入される。すなわち、前面カバーシート２および背面カバーシート１は、下部に向って開口した開口部１２を有するように縫い合わされたものである。椅子１０の背もたれ部６は、下部開口の開口部１２から挿入され、この挿入により椅子カバー５０が背もたれ部６を覆った状態で背もたれ部６に取り付けられる。
【００１９】
図４に示すように、外側シート５は前面カバーシート２のさらに前面側に設けられる。外側シート５は、前面カバーシート２の下側部分に対応した位置に設けられるものであり、これにより外側シート５は着座者の腰部分に対応した位置となっている。外側シート５は上部を除いた周辺部が前面カバーシート２（および背面カバーシート１）に縫い付けられるものである。これにより、外側シート５と前面カバーシート２との間には、上部が開口した開口部１１を有するポケット１３が形成される。ポケット１３には副材４が出し入れ自由に収納される。ポケット１３が上部の開口部１１となっているため、副材４の出し入れが容易になるとともに、収納した副材４が不容易にポケット１３から落下することがない。
【００２０】
この実施形態において、ポケット１３の上部の開口部１１には、係止具３が取り付けられている。係止具３としては、面ファスナーを用いることができ、ポケット１３の上部の開口部１１を開閉するようになっている。この場合、係止具３は省略することが可能で、係止具３の省略により構造が簡単になる。係止具３を省略しても、副材４はポケット１３の上部から収納されるため、副材４がポケット１３から落下することがないメリットはある。
【００２１】
外側シート５としては、メッシュシートが用いられる。メッシュシートとすることにより、弾力性が付与されるため、ポケット１３に収納される副材４の大小に合わせることができる。また、ポケット１３内の副材４の有無を簡単に視認することができると共に、着座者の腰部分との間に通気性を付与することができる。なお、外側シート５としては、メッシュシート以外の布シート、樹脂シートを用いることができる。
【００２２】
図１に示すように、カバー本体７における背面カバーシート１にはスカート部８が一体に形成されている。スカート部８は前面カバーシート２よりも下方に位置するように、背面カバーシート１の下部から吊り下がるように設けられる。このように、スカート部８を背面カバーシート１に設けることにより、背面カバーシート１の表面の印刷領域を大きくでき、宣伝効果を向上できるとともに、椅子の背面下部を覆い隠して美感を向上させることができる。
【００２３】
図３によって本考案の椅子カバーの取り付け方を説明する。まず図３（Ａ）に示すように、カバー本体７のポケット１３に副材４としてのクッション４ａを収納する。クッション４ａの収納は、上部の開口部１１からポケット１３に差し込むことのよって行われる。図３（Ｂ）は、クッション４ａを収納した状態を示し、その後、図３（Ｃ）に示すように、椅子カバー５０を椅子１０の背もたれ部６に被せる。その時、背もたれ部６は、前面カバーシート２と背面カバーシート１の下部の開口部１２から挿入される。
【００２４】
図４は、椅子カバー５０を椅子１０の背もたれ部６に被せた状態を示す図３のＥ−Ｅ断面図である。図５（Ａ）〜（Ｃ）は、それぞれ正面図、側面図、および背面図である。上部の開口部１１からポケット１３に挿入されたクッション４ａは、着座者の腰部分に接触し、クッション性を有して腰を支持する。このため、長時間の着座をしても痛みや疲労を軽減できる。また、副材４（クッション４ａ）がカバー本体７に対して出し入れ自由となっているため、カバー本体７の交換の際に、クッション４ａを再利用できるので経済的である。さらに、クッション４ａをカバー本体７から取り出して座布団として使用することができる。さらにまた、背面カバーシート１の表面の意匠２０によって、各種イベントや新規導入台の宣伝を行なうことができる。この意匠２０が、背面カバーシート１の表面に設けられて、店内の通路側に臨むため、客が簡単に視認でき、また店内の雰囲気を盛り上げることができる。
【００２５】
図６は、副材４が膝掛けシート４ｂの場合の概略図である。膝掛けシート４ｂを折りたたんで、ポケット１３に収納できる。
【００２６】
副材４が膝掛けシート４ｂの場合においても、まず、図７（Ａ）に示すように、ポケット１３の上部の開口部１１から膝掛けシート４ｂを収納する。図７（Ｂ）はこの収納状態を示す。図７（Ｃ）に示すように、椅子カバー５０を椅子１０の背もたれ部６に被せる。背もたれ部６は、前面カバーシート２と背面カバーシート１の間の袋状の空間に下部の開口部１２から挿入する。
【００２７】
図８は、図７のＦ−Ｆ断面図で、椅子カバー５０を椅子の背もたれ部６に被せた状態を示す。図９（Ａ）〜（Ｃ）は、図７の椅子カバー５０を椅子の背もたれ部６に被せた状態の正面図、側面図および背面図である。副材４が膝掛けシート４ｂの場合には、ポケット１３の上部の開口部１１から取り出して、膝掛けに使用する。このため、店内での脚冷えを抑制することができる。膝掛けシート４ｂをポケット１３に収納したままにおいては、膝掛けシート４ｂがクッション性を付与するため、着座者の腰を支持することができ、長時間の着座による腰の痛みや疲労を軽減できる。本考案は、クッション４ａと膝掛けシート４ｂの双方をポケット１３に収納することも可能である。
【符号の説明】
【００２８】
１    背面カバーシート
２    前面カバーシート
３    係止具
４    副材
４ａ    クッション
４ｂ    膝掛けシート
５    外側シート
６    背もたれ部
７    カバー本体
８    スカート部
９    背面カバーシートの表面
１０    椅子
１１    開口部
１２    開口部
１３    ポケット
２０    意匠
５０    椅子カバー
【図１】
0003158255.tif 000003
【図２】
0003158255.tif 000004
【図３】
0003158255.tif 000005
【図４】
0003158255.tif 000006
【図５】
0003158255.tif 000007
【図６】
0003158255.tif 000008
【図７】
0003158255.tif 000009
【図８】
0003158255.tif 000010
【図９】
0003158255.tif 000011